(57)【特許請求の範囲】
【請求項１】
曲を演奏するために使用される複数の演奏情報を別々に記憶しておくための演奏情報メモリと、
前記演奏情報メモリに記憶されている複数の演奏情報のうち、１種類以上の所望の演奏情報を選択してその組み合わせにより曲情報を構成する保存用演奏情報選択手段と、
前記保存用演奏情報選択手段において演奏情報の組み合わせにより構成された１組あるいは複数組の曲情報を保存するための保存用メモリと、
前記保存用メモリに前記演奏情報を書き込む際に、前記保存用演奏情報選択手段における組み合わせにより１組の曲情報を構成する１種類以上の演奏情報に対して、一つの曲名を付ける曲名付加手段と、
前記保存用演奏情報選択手段における組み合わせにより１組の曲情報を構成する１種類以上の演奏情報を同時に読み出し、前記付加された曲名とともに前記保存用メモリに書き込む曲情報書き出し手段と、
前記保存用メモリに保存されている１組あるいは複数組の曲情報から所望の曲情報を選択するための曲情報選択手段と、
前記曲情報選択手段により選択された曲情報を構成する演奏情報の組み合わせの中から１種類以上の所望の演奏情報を選択する読み込み用演奏情報選択手段と、
前記曲情報を構成する組毎に前記読み込み用演奏情報選択手段で選択された１種類以上の演奏情報を保存用メモリから同時に読み出し、前記演奏情報メモリに書き込む演奏情報読み込み手段とを備えた電子楽器。
【請求項２】
前記演奏情報メモリに記憶された演奏情報は、電子楽器本体で作成および修正可能であることを特徴とする請求項１記載の電子楽器。
【請求項３】
前記保存用メモリは、フロッピディスク、光磁気ディスク等のリムーバブルメディアを含む、請求項１記載の電子楽器。
【請求項４】
前記保存用メモリは、電子楽器に内蔵されたＲＯＭ・ＲＡＭまたはハードディスクなどの固定ディスクを含む、請求項１記載の電子楽器。
【請求項５】
前記保存用演奏情報選択手段は、演奏での使用頻度を考慮して予めグルーピングされた２種類以上の演奏情報の組み合わせを示す、一つ以上のカテゴリのうち一つのカテゴリを選ぶことにより、２種類以上の演奏情報が一度に選択できることを特徴とする請求項１記載の電子楽器。
【請求項６】
前記読み込み用演奏情報選択手段は、演奏での使用頻度を考慮して予めグルーピングされた２種類以上の演奏情報の組み合わせを示す、一つ以上のカテゴリのうち一つのカテゴリを選ぶことにより、２種類以上の演奏情報が一度に選択できることを特徴とする請求項１記載の電子楽器。
【請求項７】
前記曲名付加手段は、各演奏情報の識別のために１組の曲情報を構成する各演奏情報に対し、共通の名前に加えて異なる拡張子を付加することを特徴とする請求項１記載の電子楽器。
【請求項８】
前記曲名付加手段は、ファイル名として曲名を付加することを特徴とする、請求項１記載の電子楽器。
【請求項９】
前記曲情報選択手段は、曲名をファイル名として取り扱うことを特徴とする請求項１記載の電子楽器。
【請求項１０】
前記読み込み用演奏情報選択手段は、曲名にあらかじめ付加された拡張子により各演奏情報の識別を行うことを特徴とする請求項１記載の電子楽器。
【発明の詳細な説明】
【０００１】
【発明の属する技術分野】
本発明は、曲を演奏するための演奏情報を保存可能および読み込み可能な電子楽器に関するものである。
【０００２】
【従来の技術】
近年、電子楽器は本体内に読み書き可能なメモリを具備し、曲演奏に関連する様々な演奏情報の作成・修正・保存・読み込みが可能となった。ここでいう演奏情報とは、音色および効果の設定情報・曲シーケンス情報・音色パラメータ情報・自動伴奏パターン情報などを指す。
【０００３】
以下に従来の電子楽器について説明する。
図４は従来の電子楽器の構成図を示すものである。図４において、４１は曲演奏に関連する様々な演奏情報の作成・修正・保存・読み込みが行われ、演奏時にはその情報が使用される演奏情報メモリである。４２は演奏情報メモリ内にある各種演奏情報のうち、保存したい演奏情報を１種類あるいは一式で選択するための保存用演奏情報選択手段であり、４３は１組以上の演奏情報を保存するための保存用メモリである。４４は選択された１種類あるいは一式での演奏情報に対し一つの固有の名前を付加する名前付加手段であり、４５は保存したい演奏情報を付加された名前とともに保存用メモリに書き込む演奏情報書き出し手段である。４６は保存用メモリから名前をもとに所望の演奏情報を選択するための読み込み用演奏情報選択手段、４７は選択された演奏情報を保存用メモリから演奏情報メモリに読み込む演奏情報読み込み手段である。
【０００４】
以上のように構成された電子楽器について、以下その動作について説明する。まず、演奏情報の保存においては、保存用演奏情報選択手段４２により演奏情報メモリ４１内にある各種演奏情報のうち、保存すべき演奏情報が１種類あるいは一式で選択される。選択された演奏情報には名前付加手段４４により一つの固有の名前が付けられる。このとき一式で選択された場合も複数の演奏情報に対し別々に名前をつけるのではなく、全体に対し一つの名前が付加される。次に保存すべき演奏情報は付加された名前とともに演奏情報書き出し手段４５によって保存用メモリ４３に書き込まれる。現在保存用に頻繁に使用される保存用メモリとしてフロッピーディスクがあげられる。一方演奏情報の読み出しにおいては、まず読み込み用演奏情報選択手段４６により名前をキーワードにして保存用メモリ４３から所望の演奏情報が選択される。ここでいう演奏情報とはあらかじめ前記保存動作により保存されていた１種類あるいは一式の演奏情報を指す。選択された演奏情報は演奏情報読み込み手段４７により保存用メモリ４３から演奏情報メモリ４１に読み込まれる。そして演奏情報メモリ４１に読み込まれた演奏情報を用いて演奏が行われる。
【０００５】
【発明が解決しようとする課題】
しかしながら上記の従来の構成では、保存メモリへの書き込みにおいては、一度に１種類の演奏情報あるいはすべての演奏情報一式の形でしか保存用メモリに書き込みできなかった。そのため、１曲を構成するための情報を保存するためには必要回数だけ個別に演奏情報を保存するか、あるいは保存不要な演奏情報も含めて一括で保存するかを選択するかしか選択肢がなかった。前者は同じような作業を繰り返す人的な手間と時間が必要であり、後者は保存に要するハード的な書き込み時間および保存メモリに書き込まれるデータ容量の点でロスが発生する、という問題点を有していた。
【０００６】
一方保存メモリから演奏情報メモリへの読み出しにおいても、保存メモリへの書き込みの場合と同様に、一度に１種類の演奏情報あるいはすべての演奏情報一式の形でしか読み出しできなかった。そのため、１曲を構成するための情報を読み出すためには必要回数だけ個別に演奏情報を読み出すか、あるいは読み出し不要な演奏情報も含めて一括で読み出すかを選択するかしか選択肢がなかった。前者は同じような作業を繰り返す人的な手間と時間が必要であり、後者は不要な演奏情報が含まれているとハード的な読み出し時間の点でロスが発生するとともに不要な読み出しによって書き換え不要である既存の演奏情報が上書きされる、という問題点を有していた。
【０００７】
本発明は上記従来の問題点を解決するもので、保存メモリへの保存の際には、演奏情報メモリに存在する各種演奏情報の中から、曲を構成するために必要な演奏情報のみの選択が可能であり、それらを一つの曲情報として一度に書き込みを行え、一方保存メモリからの読み出しの際には、保存メモリ内の任意の曲情報の中から所望の一つ以上の演奏情報の選択が可能であり、それらを一度に読み込むことができる電子楽器を提供することを目的とする。
【０００８】
【課題を解決するための手段】
この課題を解決するために本発明は、演奏情報の保存時には、保存用演奏情報選択手段により演奏情報を選択するときに、演奏情報メモリに記憶されている複数種類の演奏情報のうち、１種類以上の所望の演奏情報を１組の曲情報として選択できるようにし、選択された１種類以上の所望の演奏情報に対して曲名付加手段により一つの曲名を付け、曲情報書き出し手段によりそれらの演奏情報を曲名とともに保存用メモリに書き込むように構成し、一方演奏情報の読み出し時には、曲情報選択手段により保存用メモリから前記曲名により曲情報を選択し、その選択された曲情報の中から読み込み用演奏情報選択手段によってさらに１種類以上の所望の演奏情報を選択し、演奏情報読み込み手段によってその１種類以上の所望の演奏情報を保存用メモリから同時に読み出し演奏情報メモリに書き込むよう構成したものである。
【０００９】
この構成によって、演奏情報の保存時には、演奏情報メモリの演奏情報は１つの曲情報として自由な組み合わせでかつ曲名付きで保存メモリに書き込むことができ、必要最小限の演奏情報を選択的に組み合わせて保存することにより短時間で保存できるとともにデータ容量も最小限にできる。一方演奏情報の読み出し時には、保存用メモリ上の任意の曲情報から、演奏に必要な最小限の演奏情報を選択的に演奏情報メモリに読み出すことができ、最短時間で読み出しができるとともに不要データの読み出しによる演奏情報メモリ上の既存のデータの破壊を選択的に防ぐことができる。
【００１０】
【発明の実施の形態】
本発明の請求項１に記載の発明は、曲を演奏するために使用される複数の演奏情報を別々に記憶しておくための演奏情報メモリと、前記演奏情報メモリに記憶されている複数の演奏情報のうち、１種類以上の所望の演奏情報を選択してその組み合わせにより曲情報を構成する保存用演奏情報選択手段と、前記保存用演奏情報選択手段において演奏情報の組み合わせにより構成された１組あるいは複数組の曲情報を保存するための保存用メモリと、前記保存用メモリに前記演奏情報を書き込む際に、前記保存用演奏情報選択手段における組み合わせにより１組の曲情報を構成する１種類以上の演奏情報に対して、一つの曲名を付ける曲名付加手段と、前記保存用演奏情報選択手段における組み合わせにより１組の曲情報を構成する１種類以上の演奏情報を同時に読み出し、前記付加された曲名とともに前記保存用メモリに書き込む曲情報書き出し手段と、前記保存用メモリに保存されている１組あるいは複数組の曲情報から所望の曲情報を選択するための曲情報選択手段と、前記曲情報選択手段により選択された曲情報を構成する演奏情報の組み合わせの中から１種類以上の所望の演奏情報を選択する読み込み用演奏情報選択手段と、前記曲情報を構成する組毎に前記読み込み用演奏情報選択手段で選択された１種類以上の演奏情報を保存用メモリから同時に読み出し、前記演奏情報メモリに書き込む演奏情報読み込み手段とを備えた電子楽器としたものであり、従来例に比べて、保存メモリへの演奏情報の保存の際には、保存用演奏情報選択手段によって１種類以上の所望の演奏情報が１組の曲情報として選択でき、さらに１組の曲情報を構成する１種類以上の演奏情報に対して一つの曲名を付ける曲名付加手段により共通の名前を付加できるので、演奏情報書き出し手段において保存用メモリに対して１組の曲を構成するために必要な演奏情報のみの選択的な一括書き込みが行える一方、保存メモリからの演奏情報読み出しの際には、曲情報選択手段によって曲名をもとにあらかじめ保存されている１組の曲情報を構成する演奏情報群を選択した上で、さらにそれら１組の曲情報を構成する演奏情報群から読み込み用演奏情報選択手段によって任意の一つ以上の演奏情報を選択できるので、演奏情報読み込み手段によって保存メモリからの必要最小限の演奏情報の一括読み込みおよび演奏情報メモリに対する書き込みが行える、という作用を有する。
【００１１】
本発明の請求項２に記載の発明は、前記演奏情報メモリに記憶された演奏情報は、電子楽器本体で作成および修正可能であることを特徴とする請求項１記載の電子楽器としたものであり、前記本発明の請求項１に記載の発明の作用に加え、作成済みの曲情報の読み込み、書き出しだけでなく、ユーザが作成済みの曲情報を読み込んだ後修正した演奏情報や新たに作成した演奏情報も、選択的に一括書き出しおよび一括読み出しできるという作用を有する。
【００１２】
本発明の請求項３に記載の発明は、前記保存用メモリは、フロッピディスク、光磁気ディスク等のリムーバブルメディアを含む、請求項１記載の電子楽器としたものであり、前記本発明の請求項１に記載の発明の作用に加え、複数の保存用メモリをもつことが可能であるので、より多くの曲情報を保存することができるという作用と、保存メモリに書き込んだ楽器以外の楽器に対して保存メモリを供給することが可能であるので、複数の楽器間での曲情報が共用できる作用を有する。
【００１３】
本発明の請求項４に記載の発明は、前記保存用メモリは、電子楽器に内蔵されたＲＯＭ・ＲＡＭまたはハードディスクなどの固定ディスクを含む、請求項１記載の電子楽器としたものであり、前記本発明の請求項１に記載の発明の作用に加え、保存用メモリが電子楽器本体内に内蔵されているので、本発明の請求項３に記載の発明に比べて高速に書き込み、読み出しが行えるという作用を有する。
【００１４】
本発明の請求項５に記載の発明は、前記保存用演奏情報選択手段は、演奏での使用頻度を考慮して予めグルーピングされた２種類以上の演奏情報の組み合わせを示す、一つ以上のカテゴリのうち一つのカテゴリを選ぶことにより、２種類以上の演奏情報が一度に選択できることを特徴とする請求項１記載の電子楽器としたものであり、前記本発明の請求項１に記載の発明の作用に加え、特に曲情報として使用頻度の高い演奏情報群や曲を構成するために必要な最小限の演奏情報群を一回の選択操作により選択可能であるという作用を有する。
【００１５】
本発明の請求項６に記載の発明は、前記読み込み用演奏情報選択手段は、演奏での使用頻度を考慮して予めグルーピングされた２種類以上の演奏情報の組み合わせを示す、一つ以上のカテゴリのうち一つのカテゴリを選ぶことにより、２種類以上の演奏情報が一度に選択できることを特徴とする請求項１記載の電子楽器としたものであり、前記本発明の請求項１に記載の発明の作用に加え、冗長度を持たせ必要不可欠でない演奏情報を含んだ曲情報から、特に曲情報として使用頻度の高い演奏情報群や曲を構成するために必要な最小限の演奏情報群を一回の選択操作により選択可能であるという作用を有する。
【００１６】
本発明の請求項７に記載の発明は、前記曲名付加手段は、各演奏情報の識別のために１組の曲情報を構成する各演奏情報に対し、共通の名前に加えて異なる拡張子を付加することを特徴とする請求項１記載の電子楽器としたものであり、前記本発明の請求項１に記載の発明の作用に加え、共通の一つの曲名により関連する演奏情報を１組の曲情報を構成する演奏情報として選択可能であるとともに、拡張子により各演奏情報の識別も可能であるという作用を有する。
【００１７】
本発明の請求項８に記載の発明は、前記曲名付加手段は、ファイル名として曲名を付加することを特徴とする、請求項１記載の電子楽器としたものであり、前記本発明の請求項１に記載の発明の作用に加え、特に請求項２に記載の発明や請求項３に記載の発明のように保存用メモリがディスクメディアであるような場合に、標準的に用いられるファイル名により演奏情報群の共通名である曲名を表すことが可能であり、また請求項７記載の発明と組み合わせるとファイル名に付加された拡張子により各演奏情報の識別も可能であるという作用を有する。
【００１８】
本発明の請求項９に記載の発明は、前記曲情報選択手段は、曲名をファイル名として取り扱うことを特徴とする請求項１記載の電子楽器としたものであり、前記本発明の請求項１に記載の発明の作用に加え、標準的に用いられるファイル名として曲名により演奏情報群を１回の選択操作で指定できるという作用を有する。
本発明の請求項１０に記載の発明は、前記読み込み用演奏情報選択手段は、曲名にあらかじめ付加された拡張子により各演奏情報の識別を行うことを特徴とする請求項１記載の電子楽器としたものであり、前記本発明の請求項１に記載の発明の作用に加え、標準的に用いられるファイル名として演奏情報群の共通名である曲名を表し、また拡張子により各演奏情報の識別も可能であるという作用を有する。
【００１９】
以下本発明の実施の形態について、図１から図３を用いて説明する。
図１において、１１は演奏情報メモリ、１２は保存用演奏情報選択手段、１３は保存用メモリ、１４は曲名付加手段、１５は曲情報書き出し手段、１６は曲情報選択手段、１７は読み込み用演奏情報選択手段、１８は演奏情報読み込み手段である。
【００２０】
まず、演奏情報の保存においては、保存用演奏情報選択手段１２により演奏情報メモリ１１内にある各種演奏情報のうち、１種類以上の所望の演奏情報が１組の曲情報として選択される。所望の演奏情報の選択方法として、所望の演奏情報を個別に選択していく方法と、演奏での使用頻度を考慮して予めグルーピングされた２種類以上の演奏情報の組み合わせを示す、一つ以上のカテゴリのうち一つのカテゴリを選ぶことにより２種類以上の演奏情報を一度に選択する方法があり、いずれかの方法により、１種類以上の所望の演奏情報が曲情報を構成する演奏情報として選択される。選択された一組の曲情報には曲名付加手段１４により一つの曲名が付けられる。このとき複数の演奏情報に対し別々に名前をつけるのではなく、全体に対し一つの曲名が付加される。また読み込みのために、前記一つの曲名に加えて各演奏情報の種類を識別するための拡張子を付加することも可能である。さらに、曲名および必要に応じて付加される拡張子をメモリ上のファイル名とすることも可能である。
【００２１】
次に保存すべき演奏情報は付加された名前とともに曲情報書き出し手段１５によって保存用メモリ１３に書き込まれる。現在保存用に頻繁に使用される保存用メモリとしてフロッピーディスクがあげられるが、光磁気ディスク等のリムーバブルメディアのいずれであっても、また電子楽器に内蔵されたＲＯＭ・ＲＡＭまたはハードディスクなどの固定ディスクであってもよい。
【００２２】
図２は演奏情報の保存を補足説明するための図で、２１は演奏情報メモリ上の演奏情報の一例、２２は保存用演奏情報選択手段１２の概念図、２３は曲名付加手段１４で付けられる曲名および拡張子の一例、２４は保存メモリ１３に保存された曲情報の概念図である。
この例では、演奏情報メモリ上の演奏情報２１には、一曲を構成する最大種類の演奏情報として音色・効果設定情報、曲シーケンス情報、音色パラメータ情報、自動伴奏パターン情報の４種類の演奏情報が存在する。保存用演奏情報選択手段１２によって、保存用演奏情報選択２２に示されるように１種類以上の所望の演奏情報が１組の曲情報として選択される。次に名前付加手段１４により曲名として"AAA"が付加され、さらに音色・効果設定情報、曲シーケンス情報、音色パラメータ情報、自動伴奏パターン情報のいずれの情報であるかを識別するための拡張子が付加されて、それぞれAAA.SET、AAA.SEQ、AAA.SND、AAA.PTNという名前となる。そして保存すべき演奏情報は付加された名前とともに曲情報書き出し手段１５によって保存用メモリ１３に書き込まれるが、この例では前記曲名および拡張子がそのままファイル名として採用され、音色・効果設定情報、曲シーケンス情報、音色パラメータ情報、自動伴奏パターン情報は、それぞれAAA.SET、AAA.SEQ、AAA.SND、AAA.PTNというファイル名で保存される。
【００２３】
一方演奏情報の読み出しにおいては、まず曲情報選択手段１６により曲名をキーワードにして保存用メモリ１３から所望の曲情報が選択される。ここでいう曲情報とはあらかじめ前記保存動作により保存されていた１種類以上の演奏情報を指す。曲情報選択手段１６においてはメモリ上のファイル名を曲名として取り扱うことも可能である。さらに、曲情報に含まれる演奏情報は読み込み用演奏情報選択手段１７によりその一部の演奏情報を選択することが可能であり、曲情報に含まれるすべての演奏情報または読み込み用演奏情報選択手段１７により選択された演奏情報は、演奏情報読み込み手段１８により保存用メモリ１３から演奏情報メモリ１１に読み込まれる。読み込み用演奏情報選択手段１７による演奏情報の選択は、曲名にあらかじめ付加された拡張子により各演奏情報の識別を行うことにより実行される。所望の演奏情報の選択方法として、所望の演奏情報を個別に選択していく方法と、演奏での使用頻度を考慮して予めグルーピングされた２種類以上の演奏情報の組み合わせを示す、一つ以上のカテゴリのうち一つのカテゴリを選ぶことにより２種類以上の演奏情報を一度に選択する方法があり、いずれかの方法により、１種類以上の所望の演奏情報が曲情報を構成する演奏情報として選択される。そして演奏情報メモリ１１に読み込まれた演奏情報を用いて演奏が行われる。
【００２４】
図３は演奏情報の読み出しを補足説明するための図で、３１は保存メモリから読み出そうとしている曲情報の概念図、３２は読み込み用演奏情報選択手段の概念図、３３は演奏情報メモリ上の演奏情報の一例である。この例においては、保存メモリ上の選択された曲情報３１で示されるように前記演奏情報の保存において、一曲を構成する最大種類の演奏情報としての音色・効果設定情報、曲シーケンス情報、音色パラメータ情報、自動伴奏パターン情報の４種類の演奏情報が保存されていることを想定している。音色・効果設定情報、曲シーケンス情報、音色パラメータ情報、自動伴奏パターン情報は、それぞれAAA.SET、AAA.SEQ、AAA.SND、AAA.PTNというファイル名で保存されており、ファイル名から曲名は"AAA"であることがわかり、さらに拡張子から各情報の識別が可能である。曲情報選択手段１６では曲名をキーワードにして保存用メモリから所望の曲情報が選択され、読み込み用演奏情報選択手段１７では拡張子をもとに読み込み用演奏情報選択３２で示されるように所望の演奏情報のみが選択される。そして、演奏情報メモリ上の演奏情報３３で示されるように、選択された演奏情報は演奏情報読み込み手段１８により保存用メモリ１３から演奏情報メモリ１１に読み込まれる。
【００２５】
なお演奏情報メモリ１１に記憶された演奏情報は、電子楽器本体において作成および修正を可能にすることもでき、その場合はユーザが作成済みの曲情報を読み込んだ後修正した演奏情報や新たに作成した演奏情報も、選択的に保存および読み出しができる。
【００２６】
【発明の効果】
以上のように本発明は、曲を演奏するために使用される複数の演奏情報を別々に記憶しておくための演奏情報メモリと、前記演奏情報メモリに記憶されている複数の演奏情報のうち、１種類以上の所望の演奏情報を選択してその組み合わせにより曲情報を構成する保存用演奏情報選択手段と、前記保存用演奏情報選択手段において演奏情報の組み合わせにより構成された１組あるいは複数組の曲情報を保存するための保存用メモリと、前記保存用メモリに前記演奏情報を書き込む際に、前記保存用演奏情報選択手段における組み合わせにより１組の曲情報を構成する１種類以上の演奏情報に対して、一つの曲名を付ける曲名付加手段と、前記保存用演奏情報選択手段における組み合わせにより１組の曲情報を構成する１種類以上の演奏情報を同時に読み出し、前記付加された曲名とともに前記保存用メモリに書き込む曲情報書き出し手段と、前記保存用メモリに保存されている１組あるいは複数組の曲情報から所望の曲情報を選択するための曲情報選択手段と、前記曲情報選択手段により選択された曲情報を構成する演奏情報の組み合わせの中から１種類以上の所望の演奏情報を選択する読み込み用演奏情報選択手段と、前記曲情報を構成する組毎に前記読み込み用演奏情報選択手段で選択された１種類以上の演奏情報を保存用メモリから同時に読み出し、前記演奏情報メモリに書き込む演奏情報読み込み手段とを設けることにより、保存メモリへの保存の際には、演奏情報メモリに存在する各種演奏情報の中から、１組の曲情報を構成するために必要な演奏情報のみ選択してその組み合わせが可能であり、それらを一つの曲情報として一度に書き込みを行え、一方保存メモリからの読み出しの際には、保存メモリ内の任意の曲情報から当該曲情報を構成する演奏情報の組み合わせの中から所望の一つ以上の演奏情報の選択が可能であり、それらを曲情報の単位で一度に読み込むことができるので、読み書きの時間短縮および限られたメモリの無駄ない活用という点で、有効な効果が得られる。さらに読み出し時においては、不要データの読み出しによる演奏情報メモリ上の既存のデータの破壊の選択的防止という、有効な効果が得られる。
【図面の簡単な説明】
【図１】本発明の第１の実施例における電子楽器の構成図
【図２】第１の実施例における電子楽器の書き込み動作説明のための概念図
【図３】第１の実施例における電子楽器の読み込み動作説明のための概念図
【図４】従来の電子楽器の構成図
【符号の説明】
１１  演奏情報メモリ
１２  保存用演奏情報選択手段
１３  保存用メモリ
１４  曲名付加手段
１５  曲情報書き出し手段
１６  曲情報選択手段
１７  読み込み用演奏情報選択手段
１８  演奏情報読み込み手段
２１  演奏情報メモリ１１上の各種演奏情報の一例
２２  保存用演奏情報選択手段１２の概念図
２３  曲名付加手段１４で付けられる曲名および拡張子の一例
２４  保存メモリ１３に保存された曲情報の概念図
３１  保存メモリから読み出そうとしている曲情報の概念図
３２  読み込み用演奏情報選択手段の概念図
３３  演奏情報メモリ上の各種演奏情報の一例
【図１】
0003885306.tif 000002
【図２】
0003885306.tif 000003
【図３】
0003885306.tif 000004
【図４】
0003885306.tif 000005